(57)【要約】【課題】  有価価値情報が記録された記録媒体を貸出し装置から取り忘れることを防止する。【解決手段】  台間機３の挿入口から挿入されたプリペイドカード４７は、カードリーダライタ４３にセットされる。カードリーダライタ４３は、プリペイドカード４７から度数を読み出し、制御部４２に入力する。制御部４２は、度数に基づいてパチンコ球の貸出しが可能か否かを判定する。パチンコ球の貸出しが可能と判定された状態で、重量検知センサ４１から制御部４２に重力検知信号が入力されなくなると、制御部４２は音声装置５１及びランプ装置５２に警告信号を入力する。これにより、スピーカー２３から警告音が出力され、装飾ランプ５８は点滅を行い遊技者に警告を行う。よって、台間機３に挿入されたプリペイドカード４７を遊技者が取り忘れることを防止することができる。【選択図】        図３
2007029292.tif 000002
【特許請求の範囲】
【請求項１】
遊技媒体を用いて遊技が行われる遊技機に隣接して配置され、有価価値情報が記録された記録媒体が挿脱自在に挿入され、前記有価価値情報に基づいて所定数の遊技媒体の貸出しを行う貸出し装置に、前記記録媒体が挿入されたままであることを警告する警報システムであって、
前記貸出し装置に設けられ、前記有価価値情報に基づいて前記遊技媒体の貸出しが可能か否かを判定する判定手段と、
遊技を行う遊技者の有無を検出する遊技者検出手段と、
前記判定手段によって遊技媒体の貸出しが可能であると判定され、前記遊技者検出手段によって遊技者がいないことが検出された時に、前記貸出し装置に前記記録媒体が挿入されたままであることを警告する警告装置とで構成されることを特徴とする警報システム。
【請求項２】
前記記録媒体には、少なくとも遊技者を識別する識別情報、または遊技者に特典を付与する特典情報のいずれかが記録可能であり、
前記貸出し装置には、前記識別情報または前記特典情報のいずれかが前記記録媒体に記録されているか否かを検出する情報検出手段が設けられており、
前記情報検出手段によって前記識別情報または前記特典情報のいずれかが検出され、前記遊技者検出手段によって遊技者が検出されない場合に、前記警告装置によって警告を行うことを特徴とする請求項１記載の警報システム。
【請求項３】
前記遊技者検出手段は、前記遊技機の前に設置された椅子に設けられた重量検知センサであることを特徴とする請求項１または２記載の警報システム。
【発明の詳細な説明】
【技術分野】
【０００１】
本発明は、有価価値情報が記録された記録媒体の取り忘れを警告する警報システムに関するものである。
【背景技術】
【０００２】
パチンコ店などの遊技場に設置して使用されるパチンコ機は、遊技媒体としてパチンコ球を使用する。パチンコ機で遊技を行う際には、金額に相当する払出可能度数（有価価値情報）が記録されたプリペイドカード（記録媒体）を、パチンコ機に隣接された台間機（貸出し装置）に挿入することによりパチンコ球の貸出しが可能となる。
【０００３】
台間機にプリペイドカードが挿入されると、プリペイドカードに記録されている貸出可能度数（以下、度数という）が台間機に設けられた表示部に表示される。例えば、１度数は１百円に相当し、１度数当たりのパチンコ球の貸出し数は２５個と予め設定されている。遊技者が貸出しボタンの操作を行うと、設定度数に対応した個数のパチンコ球がパチンコ機の供給皿に貸出される。この時、表示されている度数から貸出しに用いられた度数が減算されて表示されるとともに、減算された度数がプリペイドカードに記録される。貸出しボタンが繰り返し操作されると、その度にパチンコ球の貸出しが行われ、表示部の度数が減算表示される。そして、度数が「０」になるとパチンコ球の貸出しが受けられなくなる。
【０００４】
また、プリペイドカードに記録されている度数に基づいてパチンコ球の貸出しが受けられる状態（度数残高≠０）で遊技を終了する場合、遊技者は返却ボタンの操作を行うことで、台間機からプリペイドカードが排出されて遊技者に返却される。遊技者は返却されたプリペイドカードを遊技場に設置された精算機に挿入する。これにより、プリペイドカードに記録されている度数が読み出され、この度数に相当する金額が払い戻される。そのため、プリペイドカードが第三者の手に渡ると、プリペイドカードが不正に使用される恐れがある。そのため、特許文献１では、カード（プリペイドカード）をカード処理装置（台間機）に挿入した状態で、遊技者が遊技中に席を外す際には、カードに暗証番号を設定してカードロックボタンの操作が行われる。これにより、カード処理装置には暗証番号の入力以外の操作が出来なくなる。再び遊技を開始する際には、カード処理装置に暗証番号を入力する。入力した暗証番号とカードに設定された暗証番号とが一致すると、カードの金額を用いてパチンコ球の貸出し操作を可能にしている。
【特許文献１】特開２００２−２４５４２１号公報
【発明の開示】
【発明が解決しようとする課題】
【０００５】
特許文献１では、カードを使用したパチンコ球の貸出しを不可能状態にするため、席を離れる前に遊技者が自らカードロックボタンを操作している。しかしながら、遊技を行って遊技者が賞球を獲得した場合、つまりプリペイドカードを使用してパチンコ球の貸出しを行わず、賞球を使用して遊技が行える状態になると、台間機に挿入したプリペイドカードを忘れてしまうことがある。そのため、台間機にプリペイドカードを挿入していることを遊技者が気付かずに席から離れてしまうと、第三者にプリペイドカードを不正に使用されるという問題があった。
【０００６】
本発明は、上記問題を解決するためになされたものであり、有価価値情報が記録された記録媒体を貸出し装置から取り忘れていることを遊技者に警告する警報システムを提供することを目的とする。
【課題を解決するための手段】
【０００７】
上記目的を達成するために、本発明の警報システムは、遊技媒体を用いて遊技が行われる遊技機に隣接して配置され、有価価値情報が記録された記録媒体が挿脱自在に挿入され、前記有価価値情報に基づいて所定数の遊技媒体の貸出しを行う貸出し装置に、前記記録媒体が挿入されたままであることを警告する警報システムであって、前記貸出し装置に設けられ、前記有価価値情報に基づいて前記遊技媒体の貸出しが可能か否かを判定する判定手段と、遊技を行う遊技者の有無を検出する遊技者検出手段と、前記判定手段によって遊技媒体の貸出しが可能であると判定され、前記遊技者検出手段によって遊技者がいないことが検出された時に、前記貸出し装置に前記記録媒体が挿入されたままであることを警告する警告装置とで構成されることを特徴とするものである。なお、遊技機としては、パチンコ機やスロットマシンや、パロット（パチンコ球を用いて遊技を行うスロットマシン）等が用いられ、遊技媒体としては、球体の例えばパチンコ球や、コイン、メダルが適宜に用いられる。また、警告装置としては、スピーカーや照明装置等が用いられる。
【０００８】
また、前記記録媒体には、少なくとも遊技者を識別する識別情報、または遊技者に特典を付与する特典情報のいずれかが記録可能であり、前記貸出し装置には、前記識別情報または前記特典情報のいずれかが前記記録媒体に記録されているか否かを検出する情報検出手段が設けられており、前記情報検出手段によって前記識別情報または前記特典情報のいずれかが検出され、前記遊技者検出手段によって遊技者が検出されない場合に、前記警告装置によって警告を行うようにしてもよい。また、前記遊技者検出手段としては、前記遊技機の前に設置された椅子に重量センサを設けてもよい。なお、識別情報としてはＩＤ番号や遊技者の名前などであり、特典情報としては来店時などに加算されるポイントなどである。
【発明の効果】
【０００９】
本発明の警報システムによれば、記録媒体に記録されている有価価値情報に基づいて遊技媒体の貸出しが可能と判定され、遊技を行う遊技者が検出されない場合に、記録媒体が貸出し装置に挿入されたままであることを警告するようにしたので、遊技者が記録媒体を貸出し装置から取り忘れることを防止できる。よって、記録媒体を第三者に不正に使用されることで、遊技者が不利益を被ることを防止できる。
【００１０】
また、記録媒体には、少なくとも遊技者の識別情報、または遊技者に特典を付与する特典情報のいずれかが記録可能となっており、記録媒体に識別情報または特典情報のいずれかが記録されていることが検出され、遊技を行う遊技者が検出されない場合には、警告装置によって警告を行うので、第三者に記録媒体を不正に使用されることが防止できる。よって、遊技者が不利益を被ることが防止できる。また、重量センサによって遊技機の前に設置された椅子に着席している遊技者を検出するので、遊技者が席から離れたことを確実に検出できる。よって、遊技者が不利益を被ることをより確実に防止できる。
【発明を実施するための最良の形態】
【００１１】
本明細書では、遊技機としてパチンコ機を例に挙げて説明しているため、遊技媒体としてパチンコ球を用いて説明するが、遊技媒体としては球状の他の媒体も含む。パチンコホールなどの遊技場には、図１に示すように、パチンコ機２と、このパチンコ機２に隣接して設けられた台間機３とが複数並設されている。パチンコ機２と台間機３は、例えばフレキシブルケーブルで電気的に接続されている。各パチンコ機２の前には、図２に示すように、遊技椅子６が設置されており、パチンコ機２で遊技を行う遊技者７が着席する。
【００１２】
パチンコ機２は、その前面に開口１０が設けられており、この開口１０からは遊技領域１１が露呈している。遊技領域１１には、規則的なパチンコ球１２の流れを妨げる障害釘（図示せず）、複数の風車１５、通過入賞口１６、始動入賞口１７、通常入賞口１８、アタッカ１９、アウト口２０、液晶表示（ＬＣＤ）パネル２１などが設けられている。これらの構造物については公知なので、その詳細については省略する。なお、遊技領域１１に設けられた通過入賞口１６、始動入賞口１７、通常入賞口１８、アタッカ１９の各入賞口にパチンコ球１２が入ることを入賞とする。
【００１３】
パチンコ機２の前面上部には、一対のスピーカー２３が設けられている。スピーカー２３からは遊技の演出や警告に応じて各種音声や音楽等が出力される。また、スピーカー２３の間には、適当な色の透光性を有する装飾ランプカバー２４が設けられている。各装飾ランプカバー２４の背後には、図１の点線で示すように、それぞれ１個以上の装飾ランプ５８が配置されている。装飾ランプ５８は、演出や警告を行うために所定のパターンで点灯、点滅を行う。
【００１４】
パチンコ機２の前面下部には、供給皿２６、操作ハンドル２７が設けられている。供給皿２６は、遊技を開始する際に、パチンコ機２に設けられた払出し機構５０（図３参照）から払い出されたパチンコ球１２を受容する。また、遊技領域１１に設けられた各種入賞口にパチンコ球１２が入賞した際の賞球（パチンコ球）の受容が行われる。詳しくは後述するが、パチンコ機２に設けられた払出し機構５０は、パチンコ球１２の貸出し指示、または遊技中の賞球払出し指示に基づいてパチンコ球１２を供給皿２６に払い出す。供給皿２６に受容されたパチンコ球１２は、パチンコ機２に組み込まれた発射装置に順次供給される。操作ハンドル２７は、遊技を行う際に遊技者７によって操作される。この操作により、発射装置の打出し用ボリュームの出力値が変化し、パチンコ球１２の打ち出し強さが変化する。
【００１５】
貸出し装置である台間機３は、その前面パネル３１に挿入口３２、液晶表示部３３、貸出しボタン３４、返却ボタン３５を備えている。
【００１６】
挿入口３２は、プリペイドカード４７（図３参照）が挿脱自在に挿入される。挿入口３２から挿入されたプリペイドカード４７は、台間機３内のカードリーダライタ４３（図３参照）にセットされる。プリペイドカード４７には、金額に相当する度数（有価価値情報）が記録されており、例えば、１千、２千、３千、５千、１万円の金額に相当する度数のいずれかが記録されている。例えば、１千円に相当する度数は「１０」である。また、このプリペイドカード４７は、遊技場に設けられた販売機で販売されている。
【００１７】
貸出しボタン３４は、挿入口３２にプリペイドカード４７を挿入した後で、遊技者７がパチンコ球１２の貸出しを受ける際に押圧操作される。１回の貸出しボタン３８の押圧操作によって貸出されるパチンコ球１２の数は予め設定されている。例えば、本実施形態では、１度数当たりに貸出されるパチンコ球１２は２５個と設定されており、１回の貸出しボタン３４の押圧操作によって、５度数分（１２５個）のパチンコ球１２が供給皿２６に貸出される。なお、貸出しボタン３４の１回の押圧操作によって使用される度数（パチンコ球１２の数）は、適宜設定することが好ましい。
【００１８】
液晶表示部３３は、プリペイドカード４７から読み出された度数を表示する。例えば、１万円で購入したプリペイドカード４７の場合は、液晶表示部３３に「１００」と表示される。上記のように貸出しボタン３４が１回押圧操作されると、１２５個のパチンコ球１２の貸出しが行われるとともに、液晶表示部３３には「１００」度数から５度数が減算され、「９５」と表示される。この様に、貸出しボタン３４が押圧操作される毎に度数が「５」ずつ減算表示され、度数が「０」になるとパチンコ球１２の貸出しを受けることができなくなる。なお、１万円に相当する度数が記録されたプリペイドカード４７の場合を例に挙げたが、他の金額に相当する度数が記録されたプリペイドカードの場合も同様である。また、液晶表示部３３への表示方法はこれに限らず、適宜に変更することが好ましい。
【００１９】
返却ボタン３５は、プリペイドカード４７に記録されている度数に基づいてパチンコ球１２の貸出しが受けられる状態（度数残高≠０）で遊技を終了する場合に遊技者７によって押圧操作される。返却ボタン３５が押圧操作されると、カードリーダライタ４３にセットされたプリペイドカード４７が挿入口３２から排出され、遊技者７に返却される。
【００２０】
次に、上記構成のパチンコ機２及び台間機３に用いられた警報システム４０の電気的な構成を図３に示す。遊技椅子６には遊技者検出手段である重量検知センサ４１が設けられている。重量検知センサ４１は、座面６ａに遊技者７が着席した時の重量を検出することで、遊技を行う遊技者７の有無を検出している。遊技者７が遊技椅子６に着席すると、重量検知センサ４１は台間機３の制御部４２に重量検知信号を出力する。また、重量検知信号を出力する基準となる重量は、適宜定めることができる。例えば、遊技者７の荷物程度の重量（例えば３００ｇ）を越えたときに重量検知信号を出力するようにする。このようにすると、遊技者７が小休憩を取る際に遊技椅子６に荷物を置いていおけば、遊技者７に警告を与えないので使い勝手がよい。また、成人の標準体重を考慮した重量（例えば３０ｋｇ）を越えたときに重量検知信号を出力するようにしてもよい。このときは、遊技者７の荷物程度の重量では重量検知信号は出力されない。遊技者７が遊技椅子６から立つとすぐ重量検知センサ４１が反応して警告をするので、プリペイドカード４７の取り忘れ防止効果がより一層高まる。
【００２１】
台間機３には、制御部４２、カードリーダライタ４３、液晶表示部３３、貸出しボタンセンサ４５、返却ボタンセンサ４６から構成されている。制御部４２は、台間機３の各部を制御する。制御部４２には、液晶表示部３３、カードリーダライタ４３、貸出しボタンセンサ４５、返却ボタンセンサ４６が接続されている。
【００２２】
カードリーダライタ４３は、挿入口３２の後方に設置されている。プリペイドカード４７が挿入口３２から挿入されると、カードリーダライタ４３にセットされる。カードリーダライタ４３は、セットされたプリペイドカード４７から度数を読み出して、制御部４２に入力する。また、カードリーダライタ４３は、パチンコ球１２の貸出しが行われると制御部４２からの指示によりプリペイドカード４７に記録されている度数を減算された度数に書き換える。
【００２３】
液晶表示部３３は、制御部４２の指示により、プリペイドカード４７から読み出された度数を表示する。また、貸出しボタン３４が押圧操作され、パチンコ球１２の貸出しが行われると、制御部４２の指示により５度数分減算した度数を表示する。
【００２４】
貸出しボタンセンサ４５は、台間機３に設けられた貸出しボタン３４が押圧操作されることによって、制御部４２に貸出信号を入力する。制御部４２は、この貸出信号をパチンコ機２に設けられた払出し機構５０に入力し、パチンコ球１２の払い出しを制御する。
【００２５】
返却ボタンセンサ４６は、返却ボタン３５が押圧操作されたことを検出して返却信号を制御部４２に入力する。制御部４２はこの返却信号を受けて、カードリーダライタ４３にセットされたプリペイドカード４７を挿入口３２から排出させる。
【００２６】
制御部４２は、カードリーダライタ４３によって読み出された度数が入力されることで、プリペイドカード４７が台間機３に挿入されていることを確認している。さらに、判定手段である制御部４２は、読み出された度数に基づいてパチンコ球１２の貸出しが可能か否かの判定を行っている。カードリーダライタ４３によって読み出された度数が「０」でない場合、制御部４２はパチンコ球１２の貸出しが可能と判定する。また、読み出された度数が「０」の場合、制御部４２はパチンコ球１２の貸出しは不可能と判定する。
【００２７】
制御部４２がパチンコ球１２の貸出しが可能と判定した際（度数≠０の場合）に、制御部４２は重量検知センサ４１からの重量検知信号の有無を確認する。この時、重量検知信号が制御部４２に入力されなくなった場合は、遊技者７が台間機３からプリペイドカード４７を取り忘れたと判断し、パチンコ機２に設けられた音声装置５１及びランプ装置５２に警告信号を出力する。この警告信号は、制御部４２に重量検知センサ４１から重量検知信号が入力されるか、または返却ボタンセンサ４６から返却信号が入力されることで出力が停止される。また、パチンコ球１２の貸出しが可能と判定され、重量検知信号が入力されている場合は、制御部４２は貸出しボタンの押圧操作に伴って貸出信号を払出し機構５０に入力し、パチンコ球１２の払い出しを制御する。また、制御部４２がパチンコ球１２の貸出しが不可能と判定した際（度数＝０の場合）には、プリペイドカード４７を台間機３内に回収することが好ましい。
【００２８】
パチンコ機２には、払出し機構５０、音声装置５１、ランプ装置５２などが設けられている。警告装置の１つである音声装置５１は、音声制御部５５、スピーカー２３から構成されている。音声制御部５５は、図示しないメモリ、アンプなどが組み込まれた音声制御用回路を備えている。音声制御部５５は、メモリに格納されたサウンドプログラムを状況に応じて読出し、スピーカー２３から音声や音楽の出力を行わせる。音声制御部５５は、制御部４２から警告信号が入力されると、スピーカー２３から警報音を出力させる。
【００２９】
音声装置５１と同様に警告装置であるランプ装置５２は、ランプ制御部５７、複数の装飾ランプ５８から構成されている。ランプ制御部５７は、図示しないコントローラ、ドライバ、メモリなどが組み込まれたランプ制御回路を備えている。ランプ制御部５７は、メモリに格納された発光パターンプログラムを状況に応じて読出し、パチンコ機２に設けられた複数の装飾ランプ５８を所定のパターンで点灯、点滅させる。ランプ装置５２は、制御部４２から警告信号が入力されると、装飾ランプ５８を点滅させて警告を行う。なお、パチンコ機２に装飾ランプ５８は複数設けられているが、図面の煩雑化を避けるために、その一部のみを図示してある。
【００３０】
払出し機構５０は、制御部４２から入力される貸出し信号に基づいて、パチンコ機２に設けられた貯留タンク（図示せず）からパチンコ球１２の払出しを行う。この時、払出し機構５０は、図示しないセンサによって払い出されるパチンコ球１２を検出し、この検出信号を制御部４２に入力する。制御部４２は、この検出信号をカウントして払出し機構５０の制御を行っている。また、遊技中にパチンコ球１２が各入賞口に入賞した場合も、払出し機構５０はパチンコ機１２に設けられた制御部４２（図示せず）からの指示に従って所定数のパチンコ球１２を賞球として払出す。
【００３１】
次に上記構成の警報システム４０を備えたパチンコ機２及び台間機３の作用について図４に示すフローチャートを用いて説明する。遊技者７が遊技椅子６に着席し、台間機３の挿入口３２にプリペイドカード４７を挿入すると、プリペイドカード４７に記録されている度数が読出されて、液晶表示部３３に度数が表示される。液晶表示部３３に表示されている度数が「０」でない場合、制御部４２は台間機３に挿入されているプリペイドカード４７によってパチンコ球１２の貸出しが可能であると判定する。パチンコ球１２の貸出しが可能な状態で、遊技椅子６に遊技者７が着席している場合には、遊技者７が、貸出しボタン３４を押圧操作すると、５度数分のパチンコ球１２が供給皿２６に貸出される。遊技者７は、このパチンコ球１２を用いて遊技を行う。この時、液晶表示部３３には、減算された度数が表示される。このように、遊技者７によって貸出しボタン３４が押圧操作される毎に、パチンコ球１２の貸出しが行われ、液晶表示部３３に表示される度数は５度数ずつ減算されて表示される。
【００３２】
パチンコ球１２の貸出しが可能と判定されている状態（度数≠０）で、遊技者７が遊技椅子６から立ち上がると、重量検知センサ４１から重量検知信号が出力されなくなる。これより、制御部４２は、遊技者７が台間機３からプリペイドカード４７を取り忘れていると判断し、スピーカー２３から警報音を出力するとともに、装飾ランプ５８が点滅して遊技者７にプリペイドカード４７の取り忘れを警告する。スピーカー２３からの警告音は、音声によってプリペイドカード４７を取り忘れている旨を警告することが好ましい。このように、台間機３からプリペイドカード４７を取り忘れたことを遊技者７に警告することにより、プリペイドカード４７の取り忘れを防止できるので、第三者にプリペイドカード４７を不正に使用されることがない。よって、遊技者７が不利益を被ることを防止できる。なお、スピーカー２３及び装飾ランプ５８による警告は、遊技者７が遊技椅子６に着席するか、返却ボタン３５が押圧操作され、プリペイドカード４７が挿入口３２から排出されると停止する。
【００３３】
また、上記実施形態では、パチンコ球１２の貸出しを受ける際に、金額に相当する度数が記録されたプリペイドカード４７を用いたが、プリペイドカード４７の他に度数の書換えが可能な会員カードを台間機に挿入し、会員カードに記録された度数に基づいてパチンコ球１２の貸出しを行ってもよい。会員カードを使用してパチンコ球１２の貸出しを受ける場合を図５及び図６に示す。なお、上記実施形態と同一の構成のものには同一の符号を付してその説明は省略する。
【００３４】
会員カード６０には、度数の他に遊技者７を識別する識別情報が記録されている。例えば、この識別情報としてはＩＤ番号であり、遊技者７が遊技店に名前や住所などの情報を登録することで付与される。遊技者７は、この会員カード６０を所有することで、遊技の際に有利となる情報を遊技店から得ることができる。会員カード６０の磁気記録部分には、遊技店が付与したＩＤ番号、度数が記録されており、度数は書換えが可能となっている。遊技者７は、遊技場に設けられたチャージ機に会員カード６０を挿入した後で現金を投入すると、この投入金額に相当する度数が会員カード６０に加算される。この様に、度数が「０」となった会員カード６０も度数をチャージすることで繰り返して使用することができる。
【００３５】
台間機６１は、プリペイドカード４７及び会員カード６０が併用できるものである。台間機６１に設けられたカードリーダライタ６２は、挿入口３２に会員カード６０が挿入されると会員カード６０に記録されているＩＤ番号、および度数を読出して制御部６３に入力する。情報検出手段である制御部６３は、カードリーダライタ６２から入力された情報内にＩＤ情報があるか否かを検出し、ＩＤ番号が検出されると挿入口３２に会員カード６０が挿入されたと判定する。また、制御部６３にカードリーダライタ６２から入力された情報が度数だけの場合には、プリペイドカード４７が挿入されたと判定する。
【００３６】
制御部６３は、会員カード６０が挿入されたと判定している状態で、制御部６３に重量検知センサ４１から重量検知信号が出力されなくなると、会員カードから読み出された度数に関係なく遊技者７が会員カード６０を取り忘れたと判断し、音声装置５１及びランプ装置５２に警告信号を出力する。これにより、スピーカー２３から警報音を出力するとともに、装飾ランプ５８が点滅して遊技者７に会員カード６０の取り忘れを警告する。従って、遊技者７が会員カード６０を取り忘れることで、会員カード６０が第三者に不正に使用されることを防止できる。
【００３７】
また、プリペイドカード４７が挿入されたと判定している状態で、制御部６３に入力された度数が「０」でない場合、重力検出センサ４１によって遊技者７が検出されなくなると、制御部６３は音声装置５１及びランプ装置５２に警告信号を出力する。これにより、スピーカー２３及び装飾ランプ５８により、遊技者７にプリペイドカード４７の取り忘れを警告する。
【００３８】
また、上記実施形態では、会員カード６０に度数とＩＤ番号とを記録したが、これに限らず、会員カード６０には、度数とＩＤ番号の他に、遊技者７に特典を付与する特典情報を記録させてもよい。この特典情報としては、遊技者７が遊技場に来場した際に加算されるポイントなどである。よって、会員カード６０にＩＤ番号とともにポイントが記録されている場合には、カードリーダライタ６２によって度数、ＩＤ番号、ポイントが読出され制御部６３に入力される。制御部６３は、ＩＤ番号またはポイントの少なくともいずれか一方を検出することで会員カード６０が挿入されたことを判定するようにしてもよい。なお、会員カードには、度数とポイントを記録させてもよい。この場合は、制御部６３でポイントが検出された際に、会員カードが挿入されたと判断される。
【００３９】
なお、上記各実施形態では、台間機の制御部から指示により、パチンコ機２に設けられた払出し機構５０からパチンコ球１２を払い出しているが、これに限らず、パチンコ機２の払出し機構５０とは別に、台間機３にパチンコ球１２を貸出すための払出し機構を新たに設けてもよい。
【００４０】
また、上記実施形態では、パチンコ球１２の貸出しを受ける際に、プリペイドカード４７または会員カード６０を台間機６１に挿入したが、台間機に現金を投入し、この投入金額に基づいてパチンコ球１２の貸出しを行い、使用しなかった金額をプリペイドカード４７に記録し、このプリペイドカード４７を遊技者７に返却するタイプの台間機に本発明を適用しても良い。
【００４１】
また、遊技者７にプリペイドカード４７や会員カード６０の取り忘れを警告するために、スピーカー２３から警告音を出力させ、装飾ランプ５８を点滅させたが、スピーカー２３や装飾ランプ５８とともに、パチンコ機２に設けられた液晶表示（ＬＣＤ）パネル２１を用いて、文字で警告を行ってもよい。また、音声装置５１及びランプ装置５２を台間機３に設けてもよい。
【００４２】
また、上記各実施形態では、有価価値情報（度数）をプリペイドカード４７や会員カード６０などカード形状の記録媒体に記録させたが、カード形状に限るものではない。
【００４３】
なお、本実施形態では、重量検知センサ４１からの重量検知信号を台間機３にある制御部４２に出力したが、これをパチンコ機２の制御部に出力すれば、台間機３の制御部４２にかかる負担を軽減することができる。また、遊技者検出手段として重量検知センサ４１を遊技椅子６に設けたが、これに限らず、圧力センサや光電センサなど遊技者７が遊技椅子６に着席していることを検出できるものであればよい。また、光電センサを設ける場合の取り付け場所は、遊技椅子６に限らず、パチンコ機２や台間機３に取り付けてもよい。
【００４４】
また、本実施形態では、遊技機としてパチンコ機２を用いて説明したが、遊技機としてはスロットマシンやパロットでもよい。この場合、遊技媒体としては、パチンコ球１２や、メダル、コインが用いられる。
【図面の簡単な説明】
【００４５】
【図１】本発明を用いたパチンコ機及び台間機の構成を示す正面図である。
【図２】本発明を用いたパチンコ機及び台間機の構成を示す側面図である。
【図３】警報システムの電気的構成を示すブロック図である。
【図４】プリペイドカードの取り忘れを警告する流れを示すフローチャートである。
【図５】会員カードが使用可能な台間機を用いた警報システムの電気的構成を示すブロック図である。
【図６】会員カードの取り忘れを警告する流れを示すフローチャートである。
【符号の説明】
【００４６】
２  パチンコ機（遊技機）
３  台間機（貸出し装置）
６  遊技椅子
７  遊技者
１２  パチンコ球（遊技媒体）
４０  警報システム
４１  重量検知センサ（遊技者検出手段）
４２  制御部（判定手段）
４７  プリペイドカード（記録媒体）
５１  音声装置（警告装置）
５２  ランプ装置（警告装置）
６０  会員カード（記録媒体）
６３  制御部（情報検出手段）
【図１】
2007029292.tif 000003
【図２】
2007029292.tif 000004
【図３】
2007029292.tif 000005
【図４】
2007029292.tif 000006
【図５】
2007029292.tif 000007
【図６】
2007029292.tif 000008